(57)【要約】【課題】幹線よりも小径の支線が分岐する分岐部においても、幹線と支線に対して保護プレートを傾斜することなく装着することができ、保護プレートと隣接する他部材との隙間を一定に確保することができる、新規な構造の分岐部用保護具を提供すること。【解決手段】分岐部１４において幹線１２ａから支線１２ｂに亘って広がると共に、幹線１２ａと支線１２ｂに載置される平板状の保護プレート２０と、保護プレート２０に一体的に設けられて幹線１２ａの外周面に沿って湾曲して巻き付けられて幹線１２ａを保持する幹線保持部２２を備えており、保護プレート２０が、幹線側端部３４の幹線１２ａの外周面への接線方向でストレートに延びた状態で、幹線保持部２２を介して幹線１２ａに位置決め固定される一方、支線１２ｂが保護プレート２０側に曲げ込まれて保護プレート２０に連結固定されるようにした。【選択図】図２
2016116344.tif 000002
【特許請求の範囲】
【請求項１】
ワイヤハーネスの幹線から該幹線よりも小径の支線が分岐する分岐部に取り付けられる分岐部用保護具であって、
前記分岐部において前記幹線から前記支線に亘って広がると共に、前記幹線と前記支線に載置される平板状の保護プレートと、
前記保護プレートに一体的に設けられて前記幹線の外周面に沿って湾曲して巻き付けられて前記幹線を保持する幹線保持部を備えており、
前記保護プレートが、前記幹線側端部の前記幹線の前記外周面への接線方向でストレートに延びた状態で、前記幹線保持部を介して前記幹線に位置決め固定される一方、
前記支線が前記保護プレート側に曲げ込まれて前記保護プレートに連結固定されるようになっている
ことを特徴とする分岐部用保護具。
【請求項２】
前記幹線保持部が、前記保護プレートの前記幹線側端部に連結された湾曲自在部と、
前記湾曲自在部よりもさらに前記保護プレートの長手方向外方に突出すると共に、前記長手方向で相互に離隔位置する複数の圧入穴が貫設されたバンド部と、
前記保護プレートおよび前記湾曲自在部の少なくとも一方に突設されて前記圧入穴に圧入される圧入突起とを含んで構成されている請求項１に記載の分岐部用保護具。
【請求項３】
前記保護プレートの支線側端部にはクリップ挿通穴が設けられており、前記支線に結束固定された固定具のクリップ部が挿通されることにより、前記支線が前記保護プレート側に曲げ込まれて前記保護プレートに連結固定されている請求項１又は２に記載の分岐部用保護具。
【請求項４】
前記保護プレートが、前記幹線の延出方向に延びる幹線側プレートと前記支線の延出方向に延びる支線側プレートが直交して一体化されたＴ字形状を有しており、前記幹線側プレートの両端部の幅方向両側縁部に複数の帯状部材が幅方向に配列させてヒンジ部を介して連結されることにより、前記幹線保持部が構成されている請求項１〜３の何れか１項に記載の分岐部用保護具。
【発明の詳細な説明】
【技術分野】
【０００１】
本発明は、ワイヤハーネスの保護具に関し、特に、ワイヤハーネスの幹線から支線が分岐する分岐部に取り付けられて用いられる分岐部用保護具に関する。
【背景技術】
【０００２】
従来から、自動車に用いられるワイヤハーネスは、多数の車載機器に対してバッテリからの電源供給等を行う目的から、バッテリから延びる幹線の複数箇所には、支線が分岐される分岐部が設けられている。
【０００３】
ところで、このようなワイヤハーネスには、円筒状のコルゲートチューブが外挿されてワイヤハーネスの他部材との干渉防止や外部環境からの保護が図られるようになっている。しかし、ワイヤハーネスの分岐部では、幹線から支線がＴ字状に分岐することから、円筒状のコルゲートチューブを外挿できず、特別な保護具により保護を行うことが提案されている。
【０００４】
例えば、特開２０１３−２２５９８１号公報（特許文献１）には、幹線を覆う円筒部と支線を覆う円筒部をＴ字状に一体化したものの半割体を分岐部の上下側から装着して相互に連結することで分岐部分を覆う合成樹脂製の保護具が提案されている。
【０００５】
ところが、このような保護具では、幹線および支線を覆う円筒部の径が固定されていることから、分岐部毎の形状にあわせた複数種類の保護具を準備する必要があり、汎用性に乏しいという問題があった。そこで、例えば一対の合成樹脂製の平板状保護プレートを分岐部の上下側から重ね合せてビニールテープ等で固定することにより、幹線や支線の径寸法にかかわらず分岐部を保護する方法も提案されている。
【０００６】
このような方法であれば、幹線や支線の径寸法が異なる多種類の分岐部を一対の保護プレートで覆って保護することができる。しかしながら、幹線よりも支線の径が小さい場合等には、幹線と支線の径寸法差により保護プレートが幹線と支線に対して傾斜して固定されることが避けられない。その結果、一対の保護プレートが小径の支線側では内側に入り込むと共に、大径の幹線側では外側に突出して要求される他部材と隙間を確保できなかったり、場合によっては他部材との干渉を招来するおそれがあったのである。
【先行技術文献】
【特許文献】
【０００７】
【特許文献１】特開２０１３−２２５９８１号公報
【発明の概要】
【発明が解決しようとする課題】
【０００８】
本発明は、上述の事情を背景に為されたものであって、その解決課題は、幹線よりも小径の支線が分岐する分岐部においても、幹線と支線に対して保護プレートを傾斜することなく装着することができ、保護プレートと隣接する他部材との隙間を一定に確保することができる、新規な構造の分岐部用保護具を提供することにある。
【課題を解決するための手段】
【０００９】
本発明の第一の態様は、ワイヤハーネスの幹線から該幹線よりも小径の支線が分岐する分岐部に取り付けられる分岐部用保護具であって、前記分岐部において前記幹線から前記支線に亘って広がると共に、前記幹線と前記支線に載置される平板状の保護プレートと、前記保護プレートに一体的に設けられて前記幹線の外周面に沿って湾曲して巻き付けられて前記幹線を保持する幹線保持部を備えており、前記保護プレートが、前記幹線側端部の前記幹線の前記外周面への接線方向でストレートに延びた状態で、前記幹線保持部を介して前記幹線に位置決め固定される一方、前記支線が前記保護プレート側に曲げ込まれて前記保護プレートに連結固定されるようになっていることを特徴とする。
【００１０】
本態様によれば、幹線と支線に亘って広がりそれらに載置される平板状の保護プレートが、幹線側端部の幹線の外周面への接線方向にストレートに延びた状態で幹線保持部により幹線に対して位置決め固定される。この時、幹線よりも小径の支線と保護プレートの間に隙間が形成されるが、支線を保護プレート側に曲げ込んで保護プレートに連結固定することにより、かかる径寸法差に基づく隙間を解消することができる。その結果、幹線と支線に対して保護プレートが傾斜して取り付けられることが回避されて、保護プレートと隣接する他部材との隙間を保護プレートの全長に亘って略一定に保持することができる。それ故、保護プレートが大径の幹線側で外側に突出して他部材と干渉する等の問題の発生を防止することができる。
【００１１】
なお、保護プレート側に曲げ込まれた支線は、テープ巻固定やクリップ等の周知の固定構造を用いて保護プレートに連結固定することができる。
【００１２】
本発明の第二の態様は、前記第一の態様に記載のものにおいて、前記幹線保持部が、前記保護プレートの前記幹線側端部に連結された湾曲自在部と、前記湾曲自在部よりもさらに前記保護プレートの長手方向外方に突出すると共に、前記長手方向で相互に離隔位置する複数の圧入穴が貫設されたバンド部と、前記保護プレートおよび前記湾曲自在部の少なくとも一方に突設されて前記圧入穴に圧入される圧入突起とを含んで構成されているものである。
【００１３】
本態様によれば、幹線保持部が、保護プレートの幹線側端部に連結された湾曲自在部と、湾曲自在部からさらに延び出して複数の圧入穴を有するバンド部と、圧入穴に圧入される圧入突起を含んで構成されている。これにより、保護プレートの幹線側端部を幹線の外周面に接線接触させた状態を保持しつつ、続けて幹線保持部を幹線に巻き付けてかかる状態で保護プレートを幹線に位置決め固定する作業を容易に行うことができる。
【００１４】
特に、バンド部が複数の圧入穴を有していることから、幹線の径寸法の相違を有利に吸収して汎用性の向上を図ることができる。なお、湾曲自在部は、湾曲可能な薄肉軟質の合成樹脂プレート等により構成してもよいし、複数の帯状部材を幅方向に配列させて相互にヒンジ連結することにより設けてもよい。これにより、幹線の径違いにも柔軟に対応して、保護プレートを幹線に強固に位置決め固定することができる。
【００１５】
本発明の第三の態様は、前記第一又は第二の態様に記載のものにおいて、前記保護プレートの支線側端部にはクリップ挿通穴が設けられており、前記支線に結束固定された固定具のクリップ部が挿通されることにより、前記支線が前記保護プレート側に曲げ込まれて前記保護プレートに連結固定されているものである。
【００１６】
本態様によれば、保護プレート側への支線を曲げ込んで固定する作業を効率的且つ容易に行うことができる。
【００１７】
本発明の第四の態様は、前記第一乃至第三の何れか一つの態様に記載のものにおいて、前記保護プレートが、前記幹線の延出方向に延びる幹線側プレートと前記支線の延出方向に延びる支線側プレートが直交して一体化されたＴ字形状を有しており、前記幹線側プレートの両端部の幅方向両側縁部に複数の帯状部材が幅方向に配列させてヒンジ部を介して連結されることにより、前記幹線保持部が構成されているものである。
【００１８】
本態様によれば、幹線保持部が、Ｔ字形状の保護プレートにおける幹線側プレートの両端部において、両側縁部にヒンジ連結された複数の帯状部材によって構成されていることから、幹線の径の違いにも柔軟に対応して、あらゆる径寸法の幹線の外周面に追従して幹線保持部を沿わせることができ、幹線保持部の幹線に対する接触面積を安定して確保して、幹線側プレートの両端部においてバランスよく幹線を保護プレートに位置決め固定することができる。なお、本態様の幹線保持部は、幹線に巻き付けた後、結束テープ等により幹線に結束固定することができる。
【発明の効果】
【００１９】
本発明によれば、幹線と支線に載置される保護プレートが、幹線の外周面への接線方向にストレートに延びた状態で幹線保持部により幹線に対して位置決め固定される。この時、幹線よりも小径の支線と保護プレートの間に隙間が形成されるが、支線を保護プレート側に曲げ込んで保護プレートに連結固定することにより、かかる隙間を解消できる。その結果、幹線と支線に対して保護プレートが傾斜して取り付けられることが回避されることから、保護プレートと隣接する他部材との隙間を保護プレートの全長に亘って略一定に保持でき、保護プレートが他部材と干渉する等の問題の発生を防止することができる。
【図面の簡単な説明】
【００２０】
【図１】ワイヤハーネスの分岐部に対して、本発明の第一の実施形態としての分岐部用保護具を取り付ける様子を説明するための斜視図（（ａ）固定具を支線に取り付けた状態、（ｂ）さらに本実施形態の分岐部用保護具を分岐部に取り付けた状態）。
【図２】図１（ｂ）の正面図。
【図３】本実施形態の分岐部用保護具の展開図。
【図４】ワイヤハーネスの分岐部に対して、本発明の第二の実施形態としての分岐部用保護具を取り付ける様子を説明するための斜視図。
【図５】図４の正面図。
【図６】本実施形態の分岐部用保護具の展開図。
【図７】ワイヤハーネスの分岐部に対して、本発明の第三の実施形態としての分岐部用保護具を取り付ける様子を説明するための斜視図。
【図８】図７の正面図。
【図９】本実施形態の分岐部用保護具の展開図。
【発明を実施するための形態】
【００２１】
以下、本発明の実施形態について、図面を参照しつつ説明する。
【００２２】
先ず、図１〜３に、本発明の第一の実施形態としての分岐部用保護具１０を示す。分岐部用保護具１０は、ワイヤハーネス１２の幹線１２ａから幹線１２ａよりも小径とされた支線１２ｂが分岐する分岐部１４に取り付けられて使用される（図１参照）。すなわち、分岐部１４では、図１（ａ）に示されているように、幹線１２ａから支線１２ｂがＴ字状に分岐することから、幹線１２ａや支線１２ｂの電線束１６ａ、１６ｂを保護する円筒状のコルゲートチューブ１８ａ、１８ｂを外挿できず、新たな保護具として分岐部用保護具１０が必要となるのである。かかる分岐部用保護具１０は、平板状の保護プレート２０と、保護プレート２０に一体的に設けられた幹線保持部２２と、を備えて構成されている。なお、分岐部用保護具１０は、例えばポリプロピレン（ＰＰ）、ポリアミド（ＰＡ）等の合成樹脂により射出成形等によって一体形成されている。なお、以下の説明において、上方とは、図２中の上方、下方とは、図２中の下方を言うものとする。
【００２３】
保護プレート２０は、図３に示されているように、平面視で略横長矩形状とされており、分岐部１４への取付作業中に曲がらない程度の剛性を有していると共に、分岐部１４をカバーするのに十分な大きさを以て形成されている。保護プレート２０の長手方向一方（図３中、左方）の端部（後述する支線側端部３２）の裏面２４には、幅方向の両側において長手方向に相互に離隔する位置に３つの略円柱形状の圧入突起２６が突設されており、後述する幹線保持部２２の圧入穴４２に圧入されるようになっている。また、保護プレート２０の長手方向一方の端部（後述する支線側端部３２）の中央部には、長手方向外方に向かって延出する略矩形平板状の支線固定部２８が形成されている。支線固定部２８の中央部には、後述する固定具４４のクリップ部４６が挿通される略円形断面形状のクリップ挿通穴３０が貫設されている。一方、保護プレート２０の長手方向他方（図３中、右方）の端部（後述する幹線側端部３４）には、幹線保持部２２が連結されている。なお、以下の説明において、図１（ｂ）及び図２に示されているように、保護プレート２０の長手方向一方（図３中、左方）の端部を支線側端部３２、保護プレート２０の長手方向他方（図３中、右方）の端部を幹線側端部３４、と呼ぶことにする。
【００２４】
幹線保持部２２は、図３に示されているように、湾曲自在部３６と一対のバンド部３８，３８を含んで構成されている。湾曲自在部３６は、保護プレート２０の幹線側端部３４に連結されており、平面視で略矩形状とされている。また、湾曲自在部３６は、図１（ｂ）及び図２に示されているように、多数の縦長の帯状部材４０が幅方向に配列されており、隣接する帯状部材４０が板厚方向の上端側において互いにヒンジ連結されて構成されている。これにより、湾曲自在部３６は幹線１２ａの外周面に沿って湾曲自在とされている。一方、一対のバンド部３８，３８は、湾曲自在部３６の幅方向（図３中、上下方向）の両側から保護プレート２０の長手方向外方（図３中、右方）に向かって突出して設けられており、長手方向で相互に離隔する位置にそれぞれ４つの略円形断面形状の圧入穴４２が貫設されている。
【００２５】
上述の如き構造とされた分岐部用保護具１０が、図１〜２に示されているように、ワイヤハーネス１２の分岐部１４に組み付けられる。より詳細には、先ず、図１（ａ）に示されているように、固定具４４を、ワイヤハーネス１２の支線１２ｂの分岐部１４に近接する部位に巻き付けて、固定具４４のクリップ部４６が上方に向かって突出するように結束固定する。ここで、固定具４４は、公知のワイヤハーネス用クランプであって、クリップ部４６が突設された図示しない基部と、基部の一方の端部より帯状に延出されてワイヤハーネス１２へ巻き付けられる結束バンド４８と、を含んで構成されている。クリップ部４６はきのこ状を呈しており、円錐形状の先端部と、先端部より小径とされた円柱形状の基端部から構成されている。そして、結束バンド４８をワイヤハーネス１２に対して締め付けることによりワイヤハーネス１２に固定できるようになっている。
【００２６】
次に、保護プレート２０を、図１（ｂ）に示されているように、分岐部１４において幹線１２ａから支線１２ｂに亘って広がるように配設し、幹線１２ａと支線１２ｂ上に載置する。続いて、幹線保持部２２の湾曲自在部３６を幹線１２ａの外周面に沿って湾曲して巻き付けて、支線１２ｂ側に幹線保持部２２の一対のバンド部３８，３８を引き出されるようにする。次に、幹線１２ａの外周面に対して保護プレート２０の幹線側端部３４を接線接触させて保護プレート２０が水平方向に延びた状態（保護プレート２０に寄せる前の支線１２ｂと平行に延びた状態）で、一対のバンド部３８，３８を巻き付ける。そして、一対のバンド部３８，３８の圧入穴４２を圧入突起２６に嵌め入れ、保護プレート２０をかかる状態に保持する。その後、支線１２ｂを保護プレート２０側に寄せるように曲げ込んで、保護プレート２０の支線固定部２８に設けられたクリップ挿通穴３０に対して、固定具４４のクリップ部４６を挿通することにより、保護プレート２０の支線固定部２８を固定具４４に係合させる。これにより、図２に示されているように、保護プレート２０が幹線保持部２２を介して幹線１２ａに位置決め固定される一方、幹線保持部２２によって幹線１２ａが保持されている。そして、図２に示す状態で分岐部用保護具１０が、ワイヤハーネス１２の分岐部１４に組み付けられる。
【００２７】
このような構成とされた分岐部用保護具１０によれば、幹線側端部３４が幹線１２ａの外周面上に載置された保護プレート２０が、幹線１２ａの外周面への接線方向でストレートに延び出すように位置決め固定されていると共に、支線１２ｂが保護プレート２０側に曲げ込まれて保護プレート２０に連結固定されるようになっている。これにより、幹線１２ａよりも小径の支線１２ｂと保護プレート２０の間に形成される隙間５０（図２参照）を縮小することができる。以上の結果、幹線１２ａ及び支線１２ｂに対して保護プレート２０が傾斜して取り付けられることが回避されることから、保護プレート２０に隣接する図示しない他部材との隙間を保護プレート２０の全長に亘って略一定に保持することができる。それ故、保護プレート２０が大径の幹線１２ａ側で外方に突出して他部材と干渉する等の問題の発生を防止することができる。
【００２８】
また、幹線保持部２２が湾曲自在部３６と一対のバンド部３８，３８を含んで構成されている。これにより、保護プレート２０の幹線側端部３４を幹線１２ａの外周面に接線接触させた状態を保持しつつ、幹線保持部２２を幹線１２ａに巻き付けることにより、保護プレート２０を幹線１２ａに位置決め固定する作業を容易に行うことができる。しかも、バンド部３８が複数の圧入穴４２を有していることから、幹線１２ａの径寸法の相違を有利に吸収して汎用性の向上を図ることができる。
【００２９】
加えて、保護プレート２０の支線固定部２８に設けられたクリップ挿通穴３０に、固定具４４のクリップ部４６を挿通することにより、保護プレート２０の支線固定部２８を固定具４４に係合させている。これにより、保護プレート２０を支線１２ｂに固定する作業を効率的且つ容易に行うことができる。
【００３０】
次に、図４〜６を用いて、本発明の第二の実施形態としての分岐部用保護具５２について詳述するが、上記実施形態と同様な構造とされた部材および部位については、図中に、上記実施形態と同一の符号を付することにより、それらの詳細な説明を省略する。すなわち、かかる分岐部用保護具５２は、幹線保持部５４の湾曲自在部５６が、湾曲可能な薄肉軟質の合成樹脂プレートによって構成されている点に関して、上記実施形態と異なる実施形態を示すものである。本実施形態の分岐部用保護具５２によれば、比較的無段階に湾曲自在な湾曲自在部５６を構成することができることから、湾曲自在部５６の幹線１２ａの外周面への追従性を一層良好に得ることができる。特に、はじめに幹線１２ａの外周面に対して保護プレート５８の幹線側端部３４を接線接触させて保護プレート５８が水平方向に延びた状態（保護プレート５８に寄せる前の支線１２ｂと平行に延びた状態）で、一対のバンド部３８，３８を巻き付けて、保護プレート５８をかかる状態に保持できる。その後、支線１２ｂを保護プレート５８側に寄せるように曲げ込んで一対のバンド部３８，３８の圧入穴４２を圧入突起２６に嵌め入れることにより、幹線１２ａと支線１２ｂの径寸法差を吸収して図５に示す状態で分岐部用保護具５２を分岐部１４に容易に取り付けることができる。それ故、保護プレート５８とそれに隣接する他部材との隙間を保護プレート５８の全長に亘って略一定に保持することができるのである。
【００３１】
加えて、分岐部用保護具５２では、湾曲自在部５６の幅方向の両側において長手方向に相互に離隔する位置に３つの略円柱形状の圧入突起２６が突設されており、保護プレート５８の幅が一対のバンド部３８，３８間の離隔距離よりも狭く形成されている。これにより、図４〜５に示されているように、幹線保持部５４を幹線１２ａの外周面に巻き付けても、一対のバンド部３８，３８が保護プレート５８と重ならないことから、湾曲自在部５６の圧入突起２６に一対のバンド部３８，３８の圧入穴４２を確実に圧入することができる。このように、幹線保持部５４を用いてワイヤハーネス１２を締め付けることにより、幹線保持部５４によってワイヤハーネス１２を保持できるようになっていることから、幹線保持部５４によってより強固にワイヤハーネス１２を保持できる。
【００３２】
続いて、図７〜９を用いて、本発明の第三の実施形態としての分岐部用保護具６０について詳述するが、上記第一の実施形態と同様な構造とされた部材および部位については、図中に、上記第一の実施形態と同一の符号を付することにより、それらの詳細な説明を省略する。すなわち、かかる分岐部用保護具６０は、保護プレート６２が、幹線１２ａの延出方向に延びる幹線側プレート６２ａと支線１２ｂの延出方向に延びる支線側プレート６２ｂが直交して一体化されたＴ字形状を有しており、幹線側プレート６２ａの両端部の幅方向両側縁部に幹線保持部６４が構成されている点に関して、上記第一の実施形態と異なる実施形態を示すものである。より詳細には、幹線保持部６４は、複数（本実施形態では２つ）の縦長の帯状部材６６が幅方向に配列させてヒンジ部を介して連結されて構成されている。また、支線１２ｂは、結束テープ６８により保護プレート６２に結束固定されている。なお、図７〜８では、理解を容易とするため、ワイヤハーネス１２を保護するコルゲートチューブは記載されていない。
【００３３】
本実施形態の分岐部用保護具６０によれば、幹線保持部６４が、幹線側プレート６２ａの両端部にヒンジ連結された複数の帯状部材６６によって構成されていることから、幹線１２ａに巻き付けた後、図示しない結束テープ等により幹線１２ａに結束固定することにより、幹線１２ａの径の違いにも柔軟に対応することができるようになっている。また、幹線保持部６４の幹線１２ａに対する接触面積を安定して確保して、幹線側プレート６２ａの両端部においてバランスよく幹線１２ａを保護プレート６２に位置決め固定することができる。特に、はじめに幹線１２ａの外周面に対して保護プレート６２の幹線側プレート６２ａを接線接触させて保護プレート６２の支線側プレート６２ｂが水平方向に延びた状態（保護プレート６２の支線側プレート６２ｂに寄せる前の支線１２ｂと平行に延びた状態）で、幹線保持部６４を幹線１２ａに巻き付けて、保護プレート６２をかかる状態に保持できる。その後、支線１２ｂを保護プレート６２の支線側プレート６２ｂ側に寄せるように曲げ込んで幹線保持部６４を幹線１２ａにテープ巻き固定することにより、幹線１２ａと支線１２ｂの径寸法差を吸収して図８に示す状態で分岐部用保護具６０を分岐部１４に容易に取り付けることができる。それ故、保護プレート６２が傾斜して大径の幹線１２ａ側で外方に突出することやそれによる他部材との干渉が回避される。
【００３４】
以上、本発明の実施形態について説明してきたが、かかる実施形態における具体的な記載によって、本発明は、何等限定されるものでない。例えば、帯状部材４０，６６や圧入突起２６や圧入穴４２等の個数や形状や配置場所等は、それぞれの分岐部用保護具の構成等に応じて、任意に設定可能である。
【符号の説明】
【００３５】
１０，５２，６０：分岐部用保護具、１２：ワイヤハーネス、１２ａ：幹線、１２ｂ：支線、１４：分岐部、２０，５８，６２：保護プレート、２２，５４，６４：幹線保持部、２６：圧入突起、３０：クリップ挿通穴、３２：支線側端部、３４：幹線側端部、３６，５６：湾曲自在部、３８：バンド部、４２：圧入穴、４４：固定具、４６：クリップ部、６２ａ：幹線側プレート、６２ｂ：支線側プレート、６６：帯状部材
【図７】
2016116344.tif 000003
【図９】
2016116344.tif 000004
【図１】
2016116344.tif 000005
【図２】
2016116344.tif 000006
【図３】
2016116344.tif 000007
【図４】
2016116344.tif 000008
【図５】
2016116344.tif 000009
【図６】
2016116344.tif 000010
【図８】
2016116344.tif 000011